(57)【要約】【課題】通信容量が多量の監視データを確実に高速通信できるようにする。【解決手段】ＬＴＥ通信モードと３Ｇ通信モードを切り替えて通信を行う無線通信装置５を介して監視センター８と通信するエレベーターＥＬの遠隔監視装置４であって、エレベーターＥＬが停止したときに無線通信装置５からのＬＴＥ通信モード設定信号の出力を確認し、確認したエレベーターＥＬの各停止階におけるＬＴＥ通信モード検知回数を記録し、記録された停止階毎のＬＴＥモード検知回数の多い停止階を特定し、監視センター８に定期的にデータ送信を行うときに、前記特定したＬＴＥモード検知回数の多い検知回数の停止階へエレベーターＥＬの乗りかご２を走行させるかご呼びを作成し、作成されたＬＴＥモード検知回数の多い検知回数の停止階階床に乗りかご２を走行させてデータ通信を行う。【選択図】図１
2016037388.tif 000002
【特許請求の範囲】
【請求項１】
ＬＴＥ通信モードと３Ｇ通信モードにおける電波強度を測定し、電波強度の強い通信モードへ切替えて通信を行い、前記ＬＴＥ通信モードに切替えたときにＬＴＥ通信モード設定信号を出力する無線通信装置が接続され、前記いずれかの通信モードで遠隔地に設置された監視センターと通信を行うエレベーターの遠隔監視装置であって、
エレベーターが停止したときに前記無線通信装置からの前記ＬＴＥ通信モード設定信号の出力を確認するＬＴＥモード検知部と、
前記ＬＴＥモード検知部で検知した前記エレベーターの各停止階におけるＬＴＥ通信モード検知回数を記録するＬＴＥモード検知回数記録部と、
前記ＬＴＥモード検知回数記録部に記録された停止階毎のＬＴＥモード検知回数の多い停止階を特定するＬＴＥモード検知停止階判定部と、
前記監視センターに定期的にデータ送信を行うときに、前記ＬＴＥモード検知停止階判定部が特定したＬＴＥモード検知回数の多い検知回数の停止階へ前記エレベーターの乗りかごを走行させるかご呼びを作成する呼び作成部と、
を備え、
前記呼び作成部により作成された前記ＬＴＥモード検知回数の多い検知回数の停止階階床に乗りかごを走行させてデータ通信を行うことを特徴とするエレベーターの遠隔監視装置。
【請求項２】
請求項１に記載のエレベーターの遠隔監視装置であって、
前記無線通信装置が、前記ＬＴＥ通信モードと３Ｇ通信モード時の電波強度を測定し、電波強度の強い通信モードに自動的に切り替える通信モード切替え部を含み、前記ＬＴＥ通信モードに切替えたときに当該通信モード切替え部が前記ＬＴＥ通信モード設定信号を出力することを特徴とするエレベーターの遠隔監視装置。
【請求項３】
請求項１又は２に記載のエレベーターの遠隔監視装置であって、
前記無線基地局と無線通信する前記遠隔監視装置に接続された無線通信装置を前記乗りかごの上部に設置したことを特徴とするエレベーターの遠隔監視装置。
【発明の詳細な説明】
【技術分野】
【０００１】
本発明は、エレベーターの遠隔監視装置に係り、さらに詳しくは、無線通信機を有し、公衆無線通信網を介してエレベーターを遠隔から監視するエレベーターの遠隔監視装置に関する。
【背景技術】
【０００２】
昨今、エレベーターの遠隔監視システムは、ビル内の電話線や電話加入権が不要であり、あるいは基本料金が安いといった理由により、通信装置を用いて無線通信によって監視装置と監視センターの通信を行うものが普及している。従来の通信装置はＰＨＳ（Personal Handy-phone System）を用いるのが一般的で、この通信装置はエレベーターホールの呼び釦ボックスに設置されていた。
【０００３】
一方、この種の技術として例えば、特開２０１３−１０３８１７号公報（特許文献１）に記載のものが知られている。この技術は、現場で電波状況を考慮してセンサを適切に設置でき、その設置後の初期化やデータ収集を無線により確実に行うことを目的としたもので、エレベーター設備内の少なくとも１つの保守対象機器（乗りかご等）に設置され、保守対象機器の故障診断に必要なデータを計測する無線センサ端末と、エレベーター設備内の任意の箇所に設置され、無線センサ端末によって計測されたデータを無線通信により収集するデータ収集装置とからなり、データ収集装置は保守員が所持する携帯無線端末との間の無線通信により電波強度を測定する電波強度測定機能を備え、保守員が無線センサ端末を設置する際に上記電波強度測定機能により測定された電波強度を無線センサ端末の設置場所の電波強度として携帯無線端末に送信するようにしたものである。
【先行技術文献】
【特許文献】
【０００４】
【特許文献１】特開２０１３−１０３８１７号公報
【発明の概要】
【発明が解決しようとする課題】
【０００５】
前述した特許文献１に記載の技術では、無線センサ端末を移動体である保守対象機器、例えば乗りかごあるいはカウンタウェイト等に設置し、前記移動体を電波強度が最も得られる場所に移動させて前記無線センサ端末のデータ収集を行う構成となっている。しかし、これは故障診断に必要なデータを計測する無線センサ端末とデータ収集装置との通信を対象としたものであり、データ収集装置と監視センター間の通信については考慮されていない。
【０００６】
一方、近年のエレベーターでは巻上機、制御盤等を昇降路内に配置した機械室無しエレベーターが普及しており、通信装置に電波出力が強い無線通信方式(ＬＴＥ／３Ｇ)の通信装置を用いる場合、ホールにいる人のペースメーカーへの影響や設置スペースなどの問題から、エレベーター昇降路内に位置するエレベーター制御盤内等に設置することが多い。通信装置をエレベーター制御盤内に設置した場合、乗りかごは金属でできているため、停止している乗りかご位置によっては、通信装置の設置箇所が金属で覆われ、電波が遮断されてしまう場合がある。そのため、電波強度が安定せず、３Ｇ（3rd Generation）とＬＴＥ（Long Term Evolution）の通信の切替わりが頻繁に起こり、通信不能の状態が発生することがあった。また、ＬＴＥ通信から３Ｇ通信に切り替わり、通信速度が意図せずに低下するということがあった。
【０００７】
他方、エレベーターの監視装置は、ドア開閉回数や起動回数等のエレベーターの様々な運転情報のデータを記録し、さらに記録した前記データを蓄積している。この蓄積されたデータは、例えば月に一度、監視センターへ送信される。しかし、データ容量が大きいことから、電波強度が安定しない場合、監視センターはデータ収集に長い時間を必要とし、最悪の場合はデータ収集に失敗する場合もあった。
【０００８】
そこで、本発明が解決しようとする課題は、通信容量が多量のエレベーター監視データを確実に高速通信できるようにすることにある。
【課題を解決するための手段】
【０００９】
前記課題を解決するため、本発明は、ＬＴＥ通信モードと３Ｇ通信モードにおける電波強度を測定し、電波強度の強い通信モードへ切替えて通信を行い、前記ＬＴＥ通信モードに切替えたときにＬＴＥ通信モード設定信号を出力する無線通信装置が接続され、前記いずれかの通信モードで遠隔地に設置された監視センターと通信を行うエレベーターの遠隔監視装置であって、エレベーターが停止したときに前記無線通信装置からの前記ＬＴＥ通信モード設定信号の出力を確認するＬＴＥモード検知部と、前記ＬＴＥモード検知部で検知した前記エレベーターの各停止階におけるＬＴＥ通信モード検知回数を記録するＬＴＥモード検知回数記録部と、  前記ＬＴＥモード検知回数記録部に記録された停止階毎のＬＴＥモード検知回数の多い停止階を特定するＬＴＥモード検知停止階判定部と、前記監視センターに定期的にデータ送信を行うときに、前記ＬＴＥモード検知停止階判定部が特定したＬＴＥモード検知回数の多い検知回数の停止階へ前記エレベーターの乗りかごを走行させるかご呼びを作成する呼び作成部と、を備え、前記呼び作成部により作成された前記ＬＴＥモード検知回数の多い検知回数の停止階階床に乗りかごを走行させてデータ通信を行うことを特徴とする。なお、前記以外の課題、構成及び効果は、以下の実施形態の説明によって明らかにされる。
【発明の効果】
【００１０】
本発明によれば、高速通信の電波強度が最も安定している階床に、事前に乗りかごを走行させデータ通信を行うことができる。その結果、通信容量が多量のエレベーターの監視データを確実に高速通信することができる。
【図面の簡単な説明】
【００１１】
【図１】本発明の実施形態に係るエレベーターの遠隔監視装置を含む遠隔監視システムの構成を示す機能ブロック図である。
【図２】図１に示したエレベーターの遠隔監視装置の処理手順を示すフローチャートである。
【発明を実施するための形態】
【００１２】
以下、図面を参照し、本発明の実施形態について説明する。
図１は本発明の実施形態に係るエレベーターの遠隔監視装置を含む遠隔監視システムの構成を示す機能ブロック図である。
【００１３】
図１において、本実施形態に係る遠隔監視システムは、乗りかご２の運転を制御する制御装置３、制御装置３と通信可能な遠隔監視装置４、無線通信装置５、無線基地局６及び監視センター８から基本的に構成されている。
【００１４】
エレベーター利用者が乗車する乗りかご２は制御装置３が駆動装置（不図示）を制御することにより、昇降路１内を昇降し、各停止階９−１〜９−ｎ（ｎは２以上の整数）に停止する。
【００１５】
エレベーターＥＬを監視する遠隔監視装置４は、制御装置３からエレベーターＥＬの制御情報を入手し、異常を検出したときは異常通報を、また、エレベーターＥＬの運転情報を所定の周期で、接続している無線通信装置５から無線基地局６と無線通信し、無線基地局６と通信回線網７を経由して監視センター８に送っている。
【００１６】
無線基地局６は高速通信を行うＬＴＥ通信モードと低速通信を行う３Ｇ通信モードで通信を行うことができる。そのため、ＬＴＥ通信モード用アンテナ６１と３Ｇ通信モード用アンテナ６２とを備えている。
【００１７】
無線通信装置５は、ＬＴＥ通信部５３、３Ｇ通信部５４及び通信モード切替え部５５を備えている。ＬＴＥ通信部５３はＬＴＥ通信モード用アンテナ５１に接続され、３Ｇ通信部５４は３Ｇ通信モード用アンテナ５２に接続されている。通信モード切替え部５５は、無線基地局６とのＬＴＥ通信モード時の電波強度と３Ｇ通信モード時の電波強度を測定し、電波強度の強い通信モードに自動的に切り替える機能を備えている。
【００１８】
従って、遠隔監視装置４が監視センター８と通信するときは、通信モード切替え部５５に設定された通信モードで通信が行われる。また、通信モード切替え部５５は、設定した通信モードを後述のＬＴＥモード検知部４１に出力する。
【００１９】
遠隔監視装置４は、ＬＴＥモード検知部４１、ＬＴＥモード検知回数記録部４２、ＬＴＥモード検知停止階判定部４３、かご呼び作成部４４、通信部４５、運転情報収集部４６及び運転情報記録部４７を備えている。
【００２０】
ＬＴＥモード検知部４１は、乗りかご２が各停止階９−１〜９−ｎに停止する度に、無線通信装置５の通信モード切替え部５５から入力されるＬＴＥ通信モード設定信号の有無を確認する。若しくは、無線通信装置５から出力されるＬＴＥ通信モード設定信号を確認する。そして、ＬＴＥモード検知部４１がＬＴＥ通信モード設定信号を検知すれば、ＬＴＥ通信モードであるので、ＬＴＥモード検知部４１は、ＬＴＥ通信モード検知回数をカウントアップし、ＬＴＥ通信モード検知回数を停止階毎に記録するＬＴＥモード検知回数記録部４２に記録させる。
【００２１】
運転情報収集部４６は、制御装置３から入手した運転情報を分析し、異常を検出した場合は、通信部４５から通信モード設定部５５により設定されている通信モードで、監視センター８に異常通報する。運転情報収集部４６は、エレベーターＥＬの利用状況、例えば停止階９−１〜９−ｎ毎の停止回数あるいは停止階９−１〜９−ｎ毎の扉（不図示）の開閉回数などの運転情報を運転情報記録部４７に記録させる。
【００２２】
運転情報記録部４７は、所定の周期、例えば毎月１回、記録した運転情報を監視センター８に送信する。この運転情報は利用状況を示すデータなので、異常通報に比べ多量のデータである。この多量のデータを短時間で送信するために、高速通信を行うＬＴＥ通信モードが選択される。そのため、ＬＴＥモード検知回数記録部４２に記録されたＬＴＥ通信モード検知回数が最多の階をＬＴＥモード検知停止階判定部４３が選択する。そして、ＬＴＥモード検知停止階判定部４３が選択したＬＴＥ通信モード検知回数が最多の階へ乗りかご２を走行させ停止させるため、かご呼び作成部４４は、ＬＴＥ通信モード検知回数が最多の階へのかご呼びを作成する。そして、ＬＴＥ通信モード検知回数が最多の階で乗りかご２が停止したときに、運転情報記録部４７は通信部４５から監視センター８に記録した運転情報を送信する。
【００２３】
なお、上記の説明では、図１に示した機能ブロックの処理として説明しているが、ハードウェアとしては、遠隔監視装置４、無線通信装置５の図示しないＣＰＵあるいはＡＳＩＣの処理として実行される。
【００２４】
図２は本実施形態に係るエレベーターの遠隔監視装置における処理手順を示すフローチャートである。
【００２５】
本実施形態に係るエレベーターＥＬの遠隔監視装置４では、まず、手順Ｓ１で運転情報収集部４６が乗りかご２が停止したか確認する。停止していない場合（手順Ｓ１：ＮＯ）、手順Ｓ１を繰り返し実施する。すなわち、乗りかご２が停止するまで待つ。
【００２６】
乗りかご２が停止すると（手順Ｓ１：ＹＥＳ）、手順Ｓ２において、ＬＴＥモード検知部４１は通信モード切換部５５からの出力信号がＬＴＥ通信モード設定信号か否かを確認する。この確認処理で、ＬＴＥ通信モード設定信号ではない場合（手順Ｓ２：ＮＯ）には、手順Ｓ４に移行する。一方、ＬＴＥ通信モード設定信号であれば（手順Ｓ２：ＹＥＳ)、手順Ｓ３において、ＬＴＥモード検知部４１は現在停止している階のＬＴＥ通信モード検知回数をカウントアップし、ＬＴＥ通信モード検知回数記録部４２に記録し、手順Ｓ４に移行する。
【００２７】
手順Ｓ４では、運転情報記録部４７は運転情報を監視センター８に送信する周期か否かを確認する。送信する周期ではない場合（手順Ｓ４：ＮＯ）、手順Ｓ１に戻り、それ以降の処理を繰り返す。送信する周期であれば（手順Ｓ４：ＹＥＳ)、手順Ｓ５において、エレベーターＥＬが利用者から使用されていない状態か否かを確認する。通常は、乗り場呼びあるいはかご呼ぴを所定時間以内にエレベーター利用者が作成しない状態であれば、その状態を確認して、未使用状態と判定している。所定時間以内にエレベーター利用者が作成する乗り場呼びあるいはかご呼ぴがある場合（手順Ｓ５：ＮＯ）、エレベーターＥＬが利用者から使用されている状態と判定し、手順Ｓ１に戻り、それ以降の処理を繰り返す。
【００２８】
所定時間以内にエレベーター利用者が作成する乗り場呼びあるいはかご呼ぴがない場合（手順Ｓ５：ＹＥＳ)、手順Ｓ６において、ＬＴＥモード検知停止階判定部４３はＬＴＥモード検知回数記録部４２に記録されている各停止階９−１〜９−ｎのＬＴＥ通信モード検知回数を確認し、ＬＴＥ通信モード検知回数が最多の階を選択する。
【００２９】
次に、手順Ｓ７に移行し、手順Ｓ７でかご呼ぴ作成部４４はＬＴＥモード検知停止階判定部４３が選択したＬＴＥ通信モード検知回数が最多の階のかご呼びを作成する。そして、手順Ｓ８において、手順Ｓ７で作成した呼びに応じて、ＬＴＥ通信モード検知回数が最多の階へ乗りかご２が走行し、停止したか否かを確認する。ＬＴＥ通信モード検知回数が最多の階で乗りかご２が停止していない場合（手順Ｓ８：ＮＯ）、手順Ｓ８を繰り返し実施する。すなわち、ＬＴＥ通信モード検知回数が最多の階で乗りかご２が停止するまで待つ。
【００３０】
ＬＴＥ通信モード検知回数が最多の階で乗りかご２が停止すると（手順Ｓ８：ＹＥＳ)、手順Ｓ９において、運転情報記録部４７は通信部４５から監視センター８に記録している運転情報を送信し、本処理を終了する。
【００３１】
すなわち、本実施形態では、
１．運転情報収集部４６が乗りかご２が停止したか確認する。
２．乗りかご２が停止すると、ＬＴＥモード検知部４１は通信モード切換部５５からの出力信号がＬＴＥ通信モード設定信号か否かを確認する。
３．ＬＴＥ通信モード設定信号であれば、ＬＴＥモード検知部４１は現在停止している階のＬＴＥ通信モード検知回数をカウントアップし、ＬＴＥ通信モード検知回数記録部４２に記録する。
４．運転情報記録部４７は運転情報を監視センター８に送信する周期か否かを確認する。
５．送信する周期であれば、エレベーターが利用者から使用されていない状態か否かを確認する。
６．所定時間以内にエレベーター利用者が作成する乗り場呼びあるいはかご呼ぴがない場合、ＬＴＥ通信モード検知停止階判定部４３はＬＴＥ通信モード検知回数が最多の階を選択する。
７．かご呼ぴ作成部４４はＬＴＥ通信モード検知停止階判定部４３が選択したＬＴＥ通信モード検知回数が最多の階のかご呼びを作成する。
８．前記かご呼びに応じて、ＬＴＥ通信モード検知回数が最多の階へ乗りかご２が走行し、停止したか否かを確認する。
９．ＬＴＥ通信モード検知回数が最多の階で乗りかご２が停止すると、運転情報記録部４７は監視センター８に記録している運転情報を通信部４５から送信する。
という処理を実行することにより、高い通信品質で通信を行うことができる。
【００３２】
このようにエレベーターＥＬの運転情報のような通信容量が大きいデータ通信、言い換えれば通信容量が大きいエレベーターＥＬの運転情報を含むエレベータ監視データの送信を行う場合には、電波強度判定部２７が特定した電波強度の最も安定する乗りかご２の停止階に呼びを作成後、その停止階に移動して通信を行うので、高い通信品質で通信を行うことができる。
【００３３】
また。本実施形態では、昇降路１内に無線通信装置５を設置した例で説明したが、無線通信装置５を乗りかご２の上部に設置し、遠隔監視装置４と接続し、監視センター８と通信させることもできる。
【００３４】
以上のように、本実施形態によれば、次のような効果を奏する。なお、以下の実施形態における効果の説明では、本実施形態の各部について、特許請求の範囲における各構成要素をかっこ書きで示し、若しくは参照符号を付し、両者の対応関係を明確にした。
【００３５】
（１）  ＬＴＥ通信モードと３Ｇ通信モードにおける電波強度を測定し、電波強度の強い通信モードへ切替えて通信を行い、ＬＴＥ通信モードに切替えたときにＬＴＥ通信モード設定信号を出力する無線通信装置５が接続され、前記いずれかの通信モードで遠隔地に設置された監視センター８と通信を行うエレベーターの遠隔監視装置４であって、エレベーターが停止したときに無線通信装置５からのＬＴＥ通信モード設定信号の出力を確認するＬＴＥモード検知部４１と、ＬＴＥモード検知部４１で検知したエレベーターの各停止階９−１，２、・・・ｎにおけるＬＴＥ通信モード検知回数を記録するＬＴＥモード検知回数記録部４２と、ＬＴＥモード検知回数記録部４２に記録された停止階毎のＬＴＥモード検知回数の多い停止階を特定するＬＴＥモード検知停止階判定部４３と、監視センター８に定期的にデータ送信を行うときに、ＬＴＥモード検知停止階判定部４３が特定したＬＴＥモード検知回数の多い検知回数の停止階へエレベーターの乗りかご２を走行させるかご呼びを作成する呼び作成部４４と、を備え、呼び作成部４４により作成されたＬＴＥモード検知回数の多い検知回数の停止階階床に乗りかご２を走行させてデータ通信を行うので、高速通信であるＬＴＥ通信モードの電波強度が最も安定している階床に、事前に乗りかご２を走行させデータ通信を行うことができる。その結果、エレベーターの運転情報のような通信容量が多量のデータを確実に監視センター８に高速通信することができる。
【００３６】
（２）  無線通信装置５は、無線基地局６とのＬＴＥ通信モード時の電波強度と３Ｇ通信モード時の電波強度を測定し、電波強度の強い通信モードに自動的に切り替える通信モード切替え部５５を含み、ＬＴＥ通信モードに切替えたときにこの通信モード切替え部５５がＬＴＥ通信モード設定信号を遠隔監視装置４側に出力するので、遠隔監視装置４のＬＴＥモード検知手段で確実にＬＴＥ通信モードに切替えたことを検知することができる。
【００３７】
（３）  無線基地局６と無線通信する遠隔監視装置４に接続された無線通信装置５を乗りかご２の上部に設置したので、ＬＴＥ通信モードの電波強度が最も安定している階床に容易に移動することができ、移動先から確実にデータ通信を行うことができる。
【００３８】
さらに、本発明は前述した実施形態に限定されず、本発明の要旨を逸脱しない範囲で種々の変形が可能であり、特許請求の範囲に記載された技術思想に含まれる技術的事項の全てが本発明の対象となる。前記実施例は、好適な例を示したものであるが、当業者ならば、本明細書に開示の内容から、各種の代替例、修正例、変形例あるいは改良例を実現することができ、これらは添付の特許請求の範囲に記載された技術的範囲に含まれる。
【符号の説明】
【００３９】
２  乗りかご
４  遠隔監視装置
４１  ＬＴＥモード検知部
４２  ＬＴＥモード検知回数記録部
４３  ＬＴＥモード検知停止階判定部
４４  かご呼び作成部
５    無線通信装置
５３  ＬＴＥ通信部
５４  ３Ｇ通信部
５５  通信モード切替え部
６    無線基地局
８  監視センター
ＥＬ  エレベーター
【図１】
2016037388.tif 000003
【図２】
2016037388.tif 000004